【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
局側装置ＯＬＴと複数の宅側装置ＯＮＵとの間の、上り光信号及び下り光信号を中継するためのＰＯＮ光通信システム用中継方法であって、
前記上り光信号には、それぞれ伝送速度が異なる複数の上り光信号が含まれており、
前記下り光信号には、それぞれ伝送速度が異なる複数の下り光信号が含まれており、
前記複数の下り光信号に対して、予め遅延回路以外の各回路の入出力間の遅延時間を登録しておき、光信号中継器全体の下り遅延時間が、前記複数の下り光信号ごとに同じ値となるように、前記下り光信号に対して遅延時間を付与し、
前記複数の上り光信号に対して、予め遅延回路以外の各回路の入出力間の遅延時間を登録しておき、光信号中継器全体の上り遅延時間が、前記複数の上り光信号ごとに同じ値となるように、前記上り光信号に対して遅延時間を付与することを特徴とするＰＯＮ光通信システム用中継方法。
【請求項２】
前記下り光信号に対して誤り訂正復号を行い、前記誤り訂正復号された下り光信号に対して誤り訂正符号化を行い、
前記上り光信号に対して誤り訂正復号を行い、前記誤り訂正復号された上り光信号に対して誤り訂正符号化を行う、請求項１記載のＰＯＮ光通信システム用中継方法。
【請求項３】
前記伝送速度が異なる複数の上り光信号は、それぞれ光通信路を伝搬する波長が異なり、前記伝送速度が異なる複数の下り光信号は、それぞれ光通信路を伝搬する波長が異なる、請求項１又は請求項２記載のＰＯＮ光通信システム用中継方法。
【請求項４】
ＰＯＮ光通信システムにおいて、局側装置ＯＬＴと複数の宅側装置ＯＮＵとの間の、上り光信号及び下り光信号を中継するための光信号中継器であって、
前記上り光信号には、それぞれ伝送速度が異なる複数の上り光信号が含まれており、
前記下り光信号には、それぞれ伝送速度が異なる複数の下り光信号が含まれており、
前記下り光信号に対して遅延時間を付与する下り遅延回路と、
前記上り光信号に対して遅延時間を付与する上り遅延回路と、
前記上り遅延回路の遅延時間と前記下り遅延回路の遅延時間を設定する遅延制御回路とを有し、
前記遅延制御回路は、光信号中継器全体の上り遅延時間が、前記複数の上り光信号ごとに同じ値となるように、前記上り遅延回路に基づく遅延時間を設定し、光信号中継器全体の下り遅延時間が、前記複数の下り光信号ごとに同じ値となるように、前記下り遅延回路に基づく遅延時間を設定することを特徴とする光信号中継器。
【請求項５】
局側装置ＯＬＴと複数の宅側装置ＯＮＵとの間の、上り光信号及び下り光信号を中継するための光信号中継器を含む、ＰＯＮ光通信システムにおいて、
前記上り光信号には、それぞれ伝送速度が異なる複数の上り光信号が含まれており、
前記下り光信号には、それぞれ伝送速度が異なる複数の下り光信号が含まれており、
前記光信号中継器は、下り光信号に対して遅延時間を付与する下り遅延回路と、上り光信号に対して遅延時間を付与する上り遅延回路と、前記上り遅延回路の遅延時間と前記下り遅延回路の遅延時間を設定する遅延制御回路とを有し、
前記遅延制御回路は、光信号中継器全体の上り遅延時間が、前記複数の上り光信号ごとに同じ値となるように、前記上り遅延回路に基づく遅延時間を設定し、光信号中継器全体の下り遅延時間が、前記複数の下り光信号ごとに同じ値となるように、前記下り遅延回路に基づく遅延時間を設定することを特徴とするＰＯＮ光通信システム。
【手続補正２】
【補正対象書類名】明細書
【補正対象項目名】発明の名称
【補正方法】変更
【補正の内容】
【発明の名称】ＰＯＮ光通信システム用中継方法並びにこの方法を用いたＰＯＮ光通信システム用中継器及びＰＯＮ光通信システム
【手続補正３】
【補正対象書類名】明細書
【補正対象項目名】００１０
【補正方法】変更
【補正の内容】
【００１０】
そこで、誤り訂正復号化・符号化を行うという構成が考えられるが、伝送速度の異なる複数波長の光信号を中継する場合に、誤り訂正復号化と符号化に要する時間が、伝送速度に応じて変化するという問題がある。
そこで本発明は、伝送速度の異なる複数の光信号を中継する場合に、光信号中継器全体の遅延時間が、前記伝送速度の異なる複数の光信号ごとに同じ値となるようにしたＰＯＮ光通信システム用中継方法並びにこの方法を用いたＰＯＮ光通信システム用中継器及びＰＯＮ光通信システムを提供することを目的とする。
【手続補正４】
【補正対象書類名】明細書
【補正対象項目名】００１１
【補正方法】変更
【補正の内容】
【００１１】
本発明の光信号中継方法は、局側装置ＯＬＴと複数の宅側装置ＯＮＵとの間の、上り光信号及び下り光信号を中継するためのＰＯＮ光通信システム用中継方法であって、前記上り光信号には、それぞれ伝送速度が異なる複数の上り光信号が含まれており、前記下り光信号には、それぞれ伝送速度が異なる複数の下り光信号が含まれており、前記複数の下り光信号に対して、予め遅延回路以外の各回路の入出力間の遅延時間を登録しておき、光信号中継器全体の下り遅延時間が、前記複数の下り光信号ごとに同じ値となるように、前記下り光信号に対して遅延時間を付与し、前記複数の上り光信号に対して、予め遅延回路以外の各回路の入出力間の遅延時間を登録しておき、光信号中継器全体の上り遅延時間が、前記複数の上り光信号ごとに同じ値となるように、前記上り光信号に対して遅延時間を付与する、方法である。
【手続補正５】
【補正対象書類名】明細書
【補正対象項目名】００１２
【補正方法】変更
【補正の内容】
【００１２】
この構成の光信号中継方法であれば、光信号中継器全体の遅延時間が、伝送速度の異なる複数の上り光信号ごとに同じ値となるようにし、伝送速度の異なる複数の下り光信号ごとに同じ値となるようにしたので、上り光信号及び下り光信号で同じ伝送速度の信号を使う対称型の通信方式にも対応可能であり、上り光信号及び下り光信号で異なる伝送速度の信号を使う非対称型の通信方式にも対応可能である。
前記ＰＯＮ光通信システム用中継方法において、前記下り光信号に対して誤り訂正復号を行い、前記誤り訂正復号された下り光信号に対して誤り訂正符号化を行い、前記上り光信号に対して誤り訂正復号を行い、前記誤り訂正復号された上り光信号に対して誤り訂正符号化を行うこととしてもよい。
【手続補正６】
【補正対象書類名】明細書
【補正対象項目名】００１３
【補正方法】変更
【補正の内容】
【００１３】
本発明の光信号中継器は、局側装置ＯＬＴと複数の宅側装置ＯＮＵとの間の、上り光信号及び下り光信号を中継するための光信号中継器であって、前記上り光信号にはそれぞれ伝送速度が異なる複数の上り光信号が含まれており、前記下り光信号にはそれぞれ伝送速度が異なる複数の下り光信号が含まれており、前記下り光信号に対して遅延時間を付与する下り遅延回路と、前記上り光信号に対して遅延時間を付与する上り遅延回路と、前記上り遅延回路の遅延時間と前記下り遅延回路の遅延時間を設定する遅延制御回路とを有する。前記遅延制御回路は、光信号中継器全体の上り遅延時間が、前記複数の上り光信号ごとに同じ値となるように、前記上り遅延回路に基づく遅延時間を設定し、光信号中継器全体の下り遅延時間が、前記複数の下り光信号ごとに同じ値となるように、前記下り遅延回路に基づく遅延時間を設定する。
本発明のＰＯＮ光通信システムは、前記光信号中継器を用いたＰＯＮ光通信システムであって、前記光信号中継器の発明と実質同一発明に係るＰＯＮ光通信システムである。
【手続補正７】
【補正対象書類名】明細書
【補正対象項目名】００１４
【補正方法】変更
【補正の内容】
【００１４】
以上のように本発明によれば、伝送速度の異なる複数の光信号を取り扱うＰＯＮ光通信システムにおいて、上り光信号及び下り光信号で同じ伝送速度の信号を使う対称型の通信方式にも対応可能であり、上り光信号及び下り光信号で異なる伝送速度の信号を使う非対称型の通信方式にも対応可能な光信号中継方法及び光信号中継器を実現できる。
【手続補正８】
【補正対象書類名】明細書
【補正対象項目名】００３６
【補正方法】変更
【補正の内容】
【００３６】
なお、上り光信号が光信号中継器全体で遅延される時間は、遅延回路８３，８４での遅延時間Ｄ３，Ｄ４とともに、ＦＥＣ同期回路６３で同期をとるための時間、ＦＥＣ復号器７３，７４で復号化するための時間、ＦＥＣ符号器９３，９４で符号化するための時間などを含む。そこで、上りの光信号を中継する部分において、光信号中継器に入った１Ｇ系の光信号が光信号中継器を出るまでに要する全体の遅延時間を「遅延時間Ｔ３」、光信号中継器に入った１０Ｇ系の光信号が光信号中継器を出るまでに要する全体の遅延時間を「遅延時間Ｔ４」と言うことにする。